(57)【要約】【課題】構造が簡素でスペースを取らず、簡便な操作で使用状態および折畳み状態にできる安価な折畳みテーブル付き椅子を提供する。【解決手段】講堂やホールで使用される椅子として、後席者が使用するため背もたれの後ろに折畳み可能なテーブルを付設したものがある。  本発明は、背もたれの背面下部とテーブル１の前部裏面とを第１リンク３と第２リンク４でそれぞれ連結している。そして、第１リンク３と第２リンク４は同一垂直面でそれぞれ連結され、第１リンク３と第２リンク４の中央部は対向するように凹曲部３ｃ，４ｃを形成し、テーブル１の収納時は第１リンク３が第２リンク４の凹曲部４ｃに係合し、テーブル１の使用時は第２リンク４が第１リンク３の凹曲部３ｃと係合するように配置している。【選択図】  図１
2005065932.tif 000002
【特許請求の範囲】
【請求項１】
椅子の背もたれの背面に後席の人が使用するテーブルを折畳み格納可能に設けた折畳みテーブル付き椅子において、該背もたれの背面下部の左右にテーブルを支持する取付金具を固設するとともに、テーブルの前部左右の裏面に受け金具を固設し、該取付金具と受け金具を第１リンクと第２リンクでそれぞれ連結し、該第２リンクは取付金具との連結位置を第１リンクの取付金具との連結位置より下方とし、受け金具との連結位置を第１リンクの受け金具との連結位置より前方としたことを特徴とする折畳みテーブル付き椅子。
【請求項２】
前記第１リンクと第２リンクは同一垂直面に位置してそれぞれ取付金具と受け金具に連結され、第１リンクと第２リンクは互いに対向する側の中央部に凹曲部を備え、テーブルの格納時は第１リンクの受け金具側が第２リンクの凹曲部に係合し、テーブルを水平状態に展開した使用時は第２リンクの受け金具側が第１リンクの凹曲部に係合するようにしたことを特徴とする請求項１記載の折畳みテーブル付き椅子。
【発明の詳細な説明】
【技術分野】
【０００１】
本発明は、後席者が使用するため背もたれの後ろに折畳み可能なテーブルを付設した主として講堂やホールで使用される椅子に関するものである。
【背景技術】
【０００２】
背もたれの後ろに背もたれと同傾斜で格納され使用時は手前側へ水平状態に展開させる折畳み可能なテーブルを付設した椅子は、例えば、新幹線や航空機の椅子が知られているが、テーブルの面積が小さく、安定性も悪いので筆記をするには適さない。
【０００３】
従来、テーブルの面積が大きく、安定性のあるテーブル付き椅子としては、テーブルを使用しないときにテーブルの前端側を下降させて格納するようにしたものがある（例えば、特許文献１および特許文献２）。
【０００４】
特許文献１の椅子は、図６に示すように、角筒状の脚２１の背面に上下方向に長いガイド溝２２を設け、格納時は、テーブル２０の前端をガイド溝２２の下端まで下降させてテーブル２０の面をガイド溝２２の面に対接させて止め金具２３で固定している。そして、テーブル２０を使用するときは、止め金具２３を外し、テーブル２０を前端がガイド溝２２の上端に位置するまで引き上げて手前へ展開させ、テーブル２０の後端部を後席の椅子のアームレスト２４上に載架させて保持している。
【０００５】
また、特許文献２の椅子は、図を省略するが、椅子の背もたれから若干離してテーブルを収納するテーブル台枠を設け、テーブル台枠内に設けたスライドレールにテーブルを摺動可能に設けるとともに、テーブルの収納と展開の操作性をよくするため、回転式オイルダンパ、バランスバネ、テーブル跳ね上げバネを付設している。
【特許文献１】実公昭５９−３４３６８号公報。
【特許文献２】特開２００１−２４５７５０号公報。
【発明の開示】
【発明が解決しようとする課題】
【０００６】
特許文献１の折畳みテーブル付き椅子は、簡便な構造で安価にできるが、テーブルを引き出して手前に倒す時やテーブルを格納する時に、うっかり手を放すと自由落下となり、大きな落下音が発生し、また、前席に振動を与える。また、格納時には、テーブルをガイド溝の延長方向に位置するまで上方へ回動させて一旦停止し、ガイド溝に係合させて下降させ、さらに、止め金で固定しなければならないので、緊急避難時などでは退席が遅れるという欠点もある。
【０００７】
これに対し、特許文献２の折畳みテーブル付き椅子は、テーブルの落下音や前席へ振動を及ぼすといったことがなく、テーブルをスムーズに使用状態および格納状態にできるが、構造が複雑でスペースを大きく取り、高価なものとなっている。
【０００８】
そこで、本発明は構造が簡素でスペースを取らず、しかも、折畳みおよび展開が簡便に行える安価な折畳みテーブル付き椅子を提供することを目的としている。
【課題を解決するための手段】
【０００９】
本発明の折畳みテーブル付き椅子は、上記の目的を達成するため次の手段を採った。すなわち、椅子の背もたれの背面に後席の人が使用するテーブルを折畳み格納可能に設けた折畳みテーブル付き椅子において、該背もたれの背面下部の左右にテーブルを支持する取付金具を固設するとともに、テーブルの前部左右の裏面に受け金具を固設し、該取付金具と受け金具を第１リンクと第２リンクでそれぞれ連結し、該第２リンクは取付金具との連結位置を第１リンクの取付金具との連結位置より下方とし、受け金具との連結位置を第１リンクの受け金具との連結位置より前方としたことを特徴としている。
【００１０】
このように構成されているので、テーブルを使用するときは、格納されているテーブルを手前側へ引き上げれば、連続的に展開して水平状態となり、格納するときはテーブルの後端を持って持ち上げてやれば、連続的に移動して背もたれと同傾斜になる。
【００１１】
この場合、引き上げたテーブルを水平状態にするとき、または、持ち上げたテーブルを格納状態にするときは、テーブルが降下状態となるが、第２リンクがテーブルの降下に対して対抗するように機能するので、手を放したとしても自由落下にはならず大きな落下音は発生しない。
【００１２】
テーブルは格納時と使用状態時において、固定する必要があり、背もたれ部または取付金具から別途係止手段を付設すればよいが、部品が多くなり複雑になる。
請求項２の発明はテーブルの収納時と使用状態時の固定を簡便に行うもので、第１リンクと第２リンクは同一垂直面に位置してそれぞれ取付金具と受け金具に連結され、第１リンクと第２リンクは互いに対向する側の中央部に凹曲部を備え、テーブルの格納時は第１リンクの受け金具側が第２リンクの凹曲部に係合し、テーブルを水平状態に展開した使用時は第２リンクの受け金具側が第１リンクの凹曲部に係合するようにしたことを特徴としている。
【００１３】
これによれば、別途係止手段を必要とせずにテーブルの格納時と使用状態時にテーブルを固定できる。
【発明の効果】
【００１４】
本発明の折畳みテーブル付き椅子は、上記のように、取付金具と受け金具を第１リンクと第２リンクでそれぞれ連結したので、簡素な構成で故障がし難く、スペースも小さく安価なものとすることができる。
【００１５】
また、使用状態および格納状態へは、テーブルが連続した軌跡で移動するので扱いが簡便である。さらに、使用状態および格納状態へ操作するとき、テーブルの後端を持ってほぼ中間位置まで、持ち上げてやれば、後はテーブルの自重で、自由落下を抑制しながら自動的に展開または格納されるので、緊急時には速やかに退席できる。
【００１６】
また、請求項２によれば、テーブルの格納時は第１リンクの受け金具側が第２リンクの凹曲部に係合し、テーブルの使用時は第２リンクの受け金具側が第１リンクの凹曲部と係合するので、別途係止手段を必要とせず、より簡素なものとすることができる。
【発明を実施するための最良の形態】
【００１７】
本発明の折畳みテーブル付き椅子の実施の形態を図面に基づいて説明する。
図２は折畳みテーブル付き椅子の全体の外観を示す斜視図であり、図１は要部の詳細を示す側面図、図３はテーブルの取付部の分解斜視図である。
【００１８】
テーブル付き椅子は、肘掛け１２が一体に固設された脚１３に、折畳み可能なシート１１と若干後方へ傾斜した椅子背裏板１０が支持され、椅子背裏板１０の背面にテーブル１が折畳み可能に取り付けられている。
【００１９】
この椅子は横方向に３人が腰掛けられるように連接され、図２においては、左側と中央部はテーブル１を使用状態にしたときを示し、右側はテーブル１を格納した状態を示している。
【００２０】
テーブル１は、図１に示すように、裏面の前端両側に受け金具２が固設されており、椅子背裏板１０の下部両側に固設された取付金具５に第１リンク３と第２リンク４によって連結されている。
【００２１】
第１リンク３の一端は取付金具５にピン３ａで、他端は受け金具２にピン３ｂで連結され、また、第２リンク４の一端は取付金具５にピン４ａで、他端は受け金具２にピン４ｂで連結されている。第１リンク３と第２リンク４の位置関係は、垂直方向が同一な面に位置し、ピン４ａがピン３ａより下方に位置し、ピン４ｂがピン４ａよりテーブル１の前端側へ位置するように配置している。
【００２２】
また、第１リンク３と第２リンク４の互いに対向する側の中央部には凹曲部３ｃ，４ｃが形成されており、反対側はそれぞれ凸曲面としている。なお、６は取付金具５を覆うカバーである。
【００２３】
次に、このように構成された折畳みテーブル付き椅子の作用について説明する。
折畳みテーブル付き椅子は、着席していないときは、シート１１が背もたれ側へ折畳まれ、テーブル１も折畳まれた状態（図２の右端の状態）である。なお、この状態においては、前席と後席の間は人が通れる十分な間隔がある。
【００２４】
テーブル１が折畳まれた状態では、第１リンク３の他端側は第２リンク４の凹曲部４ｃに係合して保持されている。なお、テーブル１はこの位置では椅子背裏板１０の傾斜とほぼ平行になり、テーブル１の自重と第１リンク３と第２リンク４との係合によって椅子背裏板１０側へは倒れない。
【００２５】
着席者がテーブル１を使用するときは、図１の実線で示す折畳み状態から、テーブル１の後端を持って引き上げつつ手前へ回動させる。これにより、第１リンク３および第２リンク４はそれぞれピン３ａ，ピン４ａを支点として回動し、テーブル１はその後端が軌跡Ｓを描いて水平状態へ展開される。
【００２６】
すなわち、テーブル１が引き上げられると、第１リンク３の他端側は第２リンク４の凹曲部４ｃから離れ、テーブル１の後端が中間位置Ｓ２まで移動すると図４に示すように第１リンク３と第２リンク４は上下に対向するように位置する。そして、この状態からは、第１リンク３は回動せず、第２リンク４の他端側が上方へ回動し、使用状態では図５に示すように、第２リンク４の他端側が第１リンク３の凹曲部３ｃに係合して保持される。
【００２７】
なお、軌跡Ｓは折畳み状態の位置Ｓ１から使用状態の位置Ｓ３まで連続しているので、途中で停止することなくスムーズに移動する。
テーブル１を引き上げるのは、折畳み状態の位置Ｓ１から中間位置Ｓ２までであり、中間位置Ｓ２から使用状態の位置Ｓ３まではテーブル１が自重で降下するのでテーブル１を支えていればよい。なお、このとき、テーブル１から手を放しても第２リンク４が上方側へ対抗するように回動するので、自由落下せず抑制されて降下する。
【００２８】
使用状態からテーブル１を折畳むときは、上記と逆の操作を行えばよい。すなわち、図５の状態からテーブル１の後端を持って、上方へ中間位置Ｓ２を超えるまで持ち上げてやれば、図４の状態からはテーブル１が自重で下降するので、テーブル１を支えていればよい。そして、このときも第１リンク３がテーブル１の下降に対抗するように回動するので、テーブル１から手を放しても自由落下にはならず抑制されて移動する。
【００２９】
このように作用するので、緊急避難などではテーブル１を中間位置Ｓ２を超えるまで、跳ね上げれば退席でき、また、テーブルはその後スムーズに折畳まれるので、隣の人の退席に邪魔にならない。
【図面の簡単な説明】
【００３０】
【図１】本発明の実施の形態を適用した折畳みテーブル付き椅子の構成を示す側面図である。
【図２】同折畳みテーブル付き椅子の全体を示す斜視図である。
【図３】同  テーブルの取り付けの分解斜視図である。
【図４】同  テーブルを使用状態または収納状態にするときの中間位置まで作動させたときの側面図である。
【図５】同  テーブルを使用状態に位置させたときの側面図である。
【図６】従来の教室用机の１例を示す斜視図である。
【符号の説明】
【００３１】
１…テーブル          ２…受け金具
３…第１リンク        ３ａ，３ｂ…ピン
３ｃ…凹曲部          ４…第２リンク
４ａ，４ｂ…ピン      ４ｃ…凹曲部
５…取付金具          ６…カバー
１０…椅子背裏板      １１…シート
１２…肘掛け          １３…脚
２０…テーブル        ２１…脚
２２…ガイド溝        ２３…止め金具
２４…アームレスト
【図１】
2005065932.tif 000003
【図２】
2005065932.tif 000004
【図３】
2005065932.tif 000005
【図４】
2005065932.tif 000006
【図５】
2005065932.tif 000007
【図６】
2005065932.tif 000008